(57)【要約】      （修正有）【課題】不審人物を検知するに際し、設置先や使用目的に応じて柔軟性のある検知用の判定条件の定義、作成を行うことにより、汎用的な使用が可能な警備装置を提供する。【解決手段】警備装置は、特徴データを人物毎に対応付けて記憶した特徴データＤＢ３１と、特徴キーワードの組合せから定義される判定条件を記憶した判定ファイル３２と、特徴データの特徴データ値と判定ファイルの判定条件とのマッチ比較に基づき、該特徴データに対応付けられた人物を検知人物として検知する判定部４０と、検知人物を検知したとき出力先に対する制御信号を出力する出力部５０とを有し、判定ファイルは、種類の異なる複数の特徴キーワードが接続キーを用いて組合されて定義される判定条件と、該判定条件を満たすと判定されたときに人物検知を出力する出力先と、該出力先に対する制御信号の内容とにより構成される。【選択図】図１
2012208793.tif 000002
【特許請求の範囲】
【請求項１】
人物の特徴を示す複数の種類の特徴データ値を含む特徴データを人物毎に対応付けて記憶した第１記憶手段と、
前記特徴データ値が示す人物の特徴に対応する特徴キーワードの組合せから定義される判定条件を含む判定ファイルを記憶した第２記憶手段と、
前記特徴データの特徴データ値と前記判定ファイルの判定条件とのマッチ比較に基づき、該判定条件を満たすか否かの判定を行い、該判定条件を満たすとき、該特徴データに対応付けられた人物を検知人物として検知する判定手段と、
前記検知人物を検知したとき、出力先に対する制御信号を出力する出力手段とを有し、
前記判定ファイルは、種類の異なる複数の前記特徴キーワードが接続キーを用いて組合されて定義される判定条件と、該判定条件を満たすと判定されたときに人物検知を出力する出力先と、該出力先に対する制御信号の内容とにより構成されること、
を特徴とする警備装置。
【請求項２】
前記判定ファイルを作成するための画面を提供するとともに、該画面において、検知すべき人物の特徴を示す特徴表現のうち１の特徴表現が選択されたとき、該特徴表現に予め対応付けられている前記特徴キーワード又は前記接続キーを用いて種類の異なる複数の前記特徴キーワードの組合せを作成し、作成した該特徴キーワード又は該特徴キーワードの組合せから定義される判定条件を含む判定ファイルを作成する判定ファイル作成手段とを有し、
前記判定ファイル作成手段により作成された判定ファイルは、前記第２記憶手段に記憶されること、
を特徴とする請求項１記載の警備装置。
【請求項３】
前記判定手段は、１の特徴キーワード毎に、該特徴キーワードに対応する特徴データ値とのマッチ比較に基づき「真」又は「偽」の値を出力し、次いで出力された「真」又は「偽」の値が、前記接続キーで組み合わされたときに該判定条件を満たすか否かの判定を行い、満たす場合には「真」の値を、満たさない場合には「偽」の値を出力すること、
を特徴とする請求項１又は２記載の警備装置。
【請求項４】
前記判定手段は、前記判定条件において所定関数が含まれている場合であって、１の特徴キーワード毎に、前記所定関数の第１パラメータで指定されている指定数分の特徴データの中から該特徴キーワードに対応する特徴データ値との比較に基づき、「真」又は「偽」の値を出力するとき、前記指定数分の特徴データのうち、前記所定関数の第２パラメータで指定されている指定数分の特徴データが前記特徴キーワードにマッチした場合には、「真」の値を出力すること、
を特徴とする請求項３記載の警備装置。
【請求項５】
少なくともカメラからの画像を入力する入力手段と、
前記画像に対し画像解析処理を行うとともに、該画像内に解析された人物の特徴データを人物毎に集計する画像解析手段とを有し、
前記画像解析手段により人物毎に集計された特徴データは、前記第１記憶手段に記憶されること、
を特徴とする請求項１ないし４何れか一項記載の警備装置。
【発明の詳細な説明】
【技術分野】
【０００１】
本発明は、所定の特徴を有する人物検知を行う警備装置の分野に関する。
【背景技術】
【０００２】
近年、防犯意識の高まりにより警備システム、警備装置が広く設置されるようになってきた。ここで従来より、監視カメラ等で撮像された画像の画像解析処理に基づき、不審人物を検知する警備装置が知られている。
【０００３】
例えば特許文献１には、例えば金融機関のＡＴＭ、入口等において、サングラスやマスク等により顔を隠している人物を画像から検知すると、不審人物の可能性があると判断し通報する警報装置が記載されている。より具体的には、画像処理部により、顔の目や口が確実に検知できたかの顔隠しのスコアを独自の算出式で計算し、判定部により、スコア値が不審とする閾値より大きい場合には、サングラスやマスク等により顔を隠している不審人物として判定する。
【先行技術文献】
【特許文献】
【０００４】
【特許文献１】特許２６４８０５４号
【発明の概要】
【発明が解決しようとする課題】
【０００５】
ここで、一概に不審人物を検知するといっても、警備装置の設置先（使用先）によってその使用目的は異なる。つまり、どのような特徴を有する人物を検知したい不審人物とみなすかは、警備装置を使用する側のニーズによって異なっている。
【０００６】
しかしながら、従来の不審人物を検知する警備装置においては、その設置先、使用目的ごとに合わせて不審人物の特徴、行動を定義し、必要とする画像処理と設置先の使用目的に特化した検知判定方法を実装しており、そのため、同じ装置、システムを別の設置先、別の使用目的で使用する場合には、検知判定のプログラムを実装し直さなければならないという問題があった。
【０００７】
例えば、病院やクリニックにおいては、風邪等でマスクのみを着けている人物は多く、これら人物を不審人物として検知すべきでない。このため病院等で要請されるものは、サングラスとマスクの両方を着けている人物、及びサングラスのみを着けている人物を不審人物として検知する警備装置である。
【０００８】
しかし特許文献１に記載される警備装置は、サングラスとマスクの両方を着けている人物を検知することはできるものの、サングラスとマスクの両方を着けている人物、及びサングラスのみを着けている人物を不審人物として検知し、マスクのみを着けている人物は、検知しないという病院等でのニーズに適った検知判定を行うことはできない。そもそも特許文献１に記載される警備装置は、金融機関等での設置及び使用を想定して実装された装置であり、サングラスやマスク等により顔の大部分を隠している人物を不審人物とみなして検知するものだからである。そして仮にこのような検知判定を行いたい場合には、サングラスを着けている人物、マスクを着けている人物をそれぞれに検知し、人物に対しマスクのみを着けている人物を検知判定しないように検知判定条件の変更及びそのプログラムの実装が必要となる。即ちこのように、従来の不審人物を検知する装置においては、設置先、使用目的が変われば、検知判定のプログラムを実装し直す必要が出てくるため、同一装置を様々な設置先、使用目的で使用することは容易でない。
【０００９】
本発明は上記の点に鑑みて、不審人物を検知するに際し、設置先や使用目的に応じて柔軟性のある検知用の判定条件の定義、作成を行うことにより、設置先や使用目的を問わず汎用的な使用が可能な警備装置を提供することを目的とする。
【課題を解決するための手段】
【００１０】
上記課題を解決するため、本発明に係る警備装置は、人物の特徴を示す複数の種類の特徴データ値を含む特徴データを人物毎に対応付けて記憶した第１記憶手段と、前記特徴データ値が示す人物の特徴に対応する特徴キーワードの組合せから定義される判定条件を含む判定ファイルを記憶した第２記憶手段と、前記特徴データの特徴データ値と前記判定ファイルの判定条件とのマッチ比較に基づき、該判定条件を満たすか否かの判定を行い、該判定条件を満たすとき、該特徴データに対応付けられた人物を検知人物として検知する判定手段と、前記検知人物を検知したとき、出力先に対する制御信号を出力する出力手段とを有し、前記判定ファイルは、種類の異なる複数の前記特徴キーワードが接続キーを用いて組合されて定義される判定条件と、該判定条件を満たすと判定されたときに人物検知を出力する出力先と、該出力先に対する制御信号の内容とにより構成されることを特徴とする。
【００１１】
また上記課題を解決するため、前記警備装置において、前記判定ファイルを作成するための画面を提供するとともに、該画面において、検知すべき人物の特徴を示す特徴表現のうち１の特徴表現が選択されたとき、該特徴表現に予め対応付けられている前記特徴キーワード又は前記接続キーを用いて種類の異なる複数の前記特徴キーワードの組合せを作成し、作成した該特徴キーワード又は該特徴キーワードの組合せから定義される判定条件を含む判定ファイルを作成する判定ファイル作成手段とを有し、前記判定ファイル作成手段により作成された判定ファイルは、前記第２記憶手段に記憶されることを特徴とする。
【００１２】
また上記課題を解決するため、前記警備装置において、前記判定手段は、１の特徴キーワード毎に、該特徴キーワードに対応する特徴データ値とのマッチ比較に基づき「真」又は「偽」の値を出力し、次いで出力された「真」又は「偽」の値が、前記接続キーで組み合わされたときに該判定条件を満たすか否かの判定を行い、満たす場合には「真」の値を、満たさない場合には「偽」の値を出力することを特徴とする。
【００１３】
また上記課題を解決するため、前記警備装置において、前記判定手段は、前記判定条件において所定関数が含まれている場合であって、１の特徴キーワード毎に、前記所定関数の第１パラメータで指定されている指定数分の特徴データの中から該特徴キーワードに対応する特徴データ値との比較に基づき、「真」又は「偽」の値を出力するとき、前記指定数分の特徴データのうち、前記所定関数の第２パラメータで指定されている指定数分の特徴データが前記特徴キーワードにマッチした場合には、「真」の値を出力することを特徴とする。
【００１４】
また上記課題を解決するため、前記警備装置において、少なくともカメラからの画像を入力する入力手段と、前記画像に対し画像解析処理を行うとともに、該画像内に解析された人物の特徴データを人物毎に集計する画像解析手段とを有し、前記画像解析手段により人物毎に集計された特徴データは、前記第１記憶手段に記憶されることを特徴とする。
なお、本発明の構成要素、表現または構成要素の任意の組合せを、方法、装置、システム、コンピュータプログラム、記録媒体、などに適用したものも本発明の態様として有効である。
【発明の効果】
【００１５】
本発明によれば、不審人物を検知するに際し、設置先や使用目的に応じて柔軟性のある検知用の判定条件の定義、作成を行うことにより、設置先や使用目的を問わず汎用的な使用が可能な警備装置を提供することができる。
【図面の簡単な説明】
【００１６】
【図１】本実施形態に係る警備システム１００の全体構成を示す一実施例のブロック図を示す。
【図２】特徴データと判定ファイルの関係を説明する図である。
【図３】特徴データの一例である。
【図４】特徴データの仕様表を示す。
【図５】判定ファイル３２の一例（その１）である。
【図６】判定条件文の一文例を示す。
【図７】特徴キーワードの仕様表を示す。
【図８】関数の仕様表を示す。
【図９】接続キーの仕様表を示す。
【図１０】判定ファイル３２の一例（その２）である。
【図１１】複数の特徴データから抽出した特徴項目及び特徴データ値の一例である。
【図１２】特徴データ生成処理を説明するフローチャートである。
【図１３】不審人物の判定処理を説明するフローチャートである。
【図１４】判定結果の出力処理を説明するフローチャートである。
【図１５】保守アプリの設定画面例（その１）を示す。
【図１６】保守アプリの設定画面例（その２）を示す。
【発明を実施するための形態】
【００１７】
以下、本発明を実施するための形態を各実施形態において図面を用いて説明する。
【００１８】
[概要]
本実施形態に係る警備装置においては、不審人物として検知（検出）したい特徴や行動、またその場所、時間等で詳細に定義し、最終的にこれら特徴や行動をand、or、又はnext等の関係で定義した検知用の判定条件を柔軟に作成できる判定ファイルの汎用的な作成方法を用意し実装した。そして、この方法で作成した判定ファイルと実際の画像処理結果による特徴、行動を比較することにより、不審人物の検知判定を行うようにした。
【００１９】
このようにしたことで、本実施形態に係る警備装置においては、不審人物を検知するに際し、設置先や使用目的に応じて柔軟性のある判定条件の定義、つまり判定ファイル作成を行えるので、設置先や使用目的を問わず汎用的な環境において使用が可能となる。また設置後、新たな犯罪等が発生した際にも、判定条件をその犯罪等に対応したものに定義し直せば、その犯罪等に対応した警備サービスを容易に開始することができる。以下、詳細に説明する。
【００２０】
[システム構成]
図１は、本実施形態に係る警備システム１００の全体構成を示す一実施例のブロック図を示す。本実施形態に係る警備システム１００は、警備装置１、カメラ２ａ、センサ２ｂを含むデータ収集装置２、監視センタ３、警報器４を含み構成される。
【００２１】
警備装置１は、入力部１０、画像解析処理部２０、記憶部３０、判定部４０、出力部５０、判定ファイル作成部６０を含む。
【００２２】
入力部１０は、カメラ２ａ、センサ２ｂを含むデータ収集装置２から、画像や検知信号等の入力データを受け付ける入力機能部である。つまり入力部１０により、外部装置からのデータを警備装置１内部へ取り込む。
【００２３】
画像解析処理部２０は、画像や検知信号等の入力データのデータ解析を行い、不審人物の検知に必要な情報（特徴データ）を取り出したり、以後の判定処理で使用し易い形でデータを整形したり取り纏める。
【００２４】
記憶部３０は、人物の特徴データを人物毎に対応付けて記憶した特徴データＤＢ３１と、人物の特徴データに基づき不審人物として検知すべき特徴が判定条件として定義された判定ファイル３２とを記憶した記憶手段である。なお特徴データＤＢ３１及び判定ファイル３２の具体例は後述する。
【００２５】
判定部４０は、判定ファイル３２に基づいて、解析された人物の特徴データを比較、照合し、その人物が不審人物として検知すべき人物であるか否かの判定を行う。また不審人物として検知すべき人物であると判定したときには、出力部５０に対し監視センタ３や警報器４へ警報の出力を指示する。
【００２６】
出力部５０は、監視センタ３や警報器４と接続されており、監視センタ３への通報や警報器４への出力を行う。
【００２７】
判定ファイル作成部６０は、判定ファイル３２を作成する。本実施形態に係る警備装置１においては、ユーザは警備装置１の設置場所やその使用目的等によって、柔軟に不審人物として検知すべき特徴を判定条件として定義しうる。この作成方法の詳細は再度後述する。
【００２８】
カメラ２ａは、警備が行われる設置場所（金融機関、病院、店舗等々）内の随所に設けられる監視カメラである。出入口や室内、又は死角となるような位置に設けられ、リアルタイムに映像、即ち連続的な静止画像を撮像し、撮像した静止画像を警備装置１に対し入力する。近年のカメラ性能からすると、例えばこの静止画像は１秒間に２０〜３０画像（フレーム）程度が撮像され、警備装置１に対し入力される。
【００２９】
センサ２ｂは、警備が行われる設置場所内の随所に設けられる検知センサである。具体的に、出入口扉の開閉を検知して検知信号を出力する例えばマグネットスイッチ等のセンサ、廊下や室内に設けられ人の存在を検知して検知信号を出力する例えば赤外線検知センサ等のセンサがある。
【００３０】
監視センタ３及び警報器４は、異常時における警報の出力先である。監視センタ３へは電話回線等の通信回線を介して接続されており、監視センタ３は警備装置１から警報を受信すると、例えば現地へ警備員を派遣したり、警察等への連絡を行う。警報器４は、アラート・ランプやアラート・アラーム等であり、警備装置１から警報を受信すると、ランプを点灯させたり緊急時のアラートを鳴らす。
【００３１】
なお、上述の警備装置１の各機能は、実際には装置のＣＰＵが実行するプログラムによりコンピュータに実現させるものであることはいうまでもない。なおまた、本実施形態においてはあくまで一構成例であり、各機能を他の装置に実装することも可能である。例えば、警備装置１の記憶部３０は別途のデータ蓄積サーバにより構築することができる。また判定ファイル作成部６０は端末ＰＣ等に実装し、端末ＰＣの判定ファイル作成部６０で作成した判定ファイルを警備装置１の記憶部３０へ転送するように構成することも可能である。
【００３２】
[特徴データと判定ファイル]
図２は、特徴データと判定ファイルの関係を説明する図である。
【００３３】
警備装置１は、画像（フレーム）及び検知信号が入力されるたびに画像解析処理を行い、画像解析処理の結果から、人物ＩＤ（顔認証結果等を使って人物毎に付与）毎に特徴データを生成し、随時、特徴ＤＢ３１に蓄積、更新している。また判定ファイル３２は、人物の特徴データに基づき不審人物として検知すべき特徴が判定条件として定義されたファイルであり、ユーザにより又は判定ファイル作成部６０を介して予め作成され記憶部３０に保持される。
【００３４】
そして図に示されるように判定部４０は、判定ファイル３２と、人物毎の特徴データを比較、照合し、その人物が不審人物として検知すべき人物であるか否かの判定を行う。また不審人物として検知すべき人物であると判定したときには、出力部５０に対し監視センタ３や警報器４へ警報の出力を指示する。以下詳しく説明する。
【００３５】
（特徴データ）
上述の如く、カメラ２ａやセンサ２ｂから入力された画像や検知信号を解析した画像解析結果は、特徴データとして特徴ＤＢ３１に蓄積される。つまり、警備装置１は、画像及び検知信号が入力されるたびに画像解析処理を行い、画像解析処理の結果から、人物ＩＤ（顔認証結果等を使って人物毎に付与）毎に特徴データを生成し、随時、特徴ＤＢ３１に蓄積、更新していく。
【００３６】
図３は、特徴データの一例である。また併せて図４は、特徴データの仕様表を示す。図３の特徴データは、実際の１の特徴データを示す。つまり、カメラ２ａから入力された１画像及びセンサ２ｂから入力された検知信号により、人物が検出された場合、その人物の特徴や行動を図３の仕様表の各項目に従い画像解析により解析し、特徴データ項目毎の特徴データ値を検出する。そして１画像（１フレーム）、１人物に対し、１の特徴データを生成する。一方、人物が検出されない場合には、特徴データは生成しなくてよい。
【００３７】
図４の仕様表は、カメラ２ａから入力された画像及びセンサ２ｂから入力された検知信号により解析されうる特徴、行動の一例である。警備装置１において、該当の特徴、行動を解析・抽出しうる画像解析手法が実装されている限り、これら特徴や行動の項目の値を得ることができる。なおまた、センサ２ｂから入力された検知信号は、人物の存在・位置の特定等に用いられる。画像のみからでも人物の存在・位置を解析することが可能であるため、あくまで画像解析の補完情報として用いるものとする。
【００３８】
具体的に図３を参照する。例えば、特徴データ項目「Date」(日付)は、特徴データの生成元の画像や検知信号が入力された日付を示す。また、特徴データ項目「Time」(時刻)は、特徴データの生成元の画像や検知信号が入力された時刻を示す。
【００３９】
また、特徴データ項目「Gender」(性別)は、入力された１画像において１の人物（人物ＩＤ：0001）が写っていた場合、画像解析により解析されたその人物の性別値を示す。ここではこの人物の性別は「男」であると解析されたため、性別値は「０」となっている。また、「Sunglasses」(サングラスの有無)は、画像解析により解析されたその人物のサングラスの有無値を示す。ここではこの人物のサングラスの有無値は「あり」であると解析されたため、サングラスの有無の値は「１」となっている。
【００４０】
また、「Stay[x]」(エリアxにいる)は、画像解析及び検知信号により解析されたその人物の位置（エリア）値を示す。ここではこの人物の位置（エリア）値は「エリア１にいる」と解析されたため、Stay[1]の値は「１」となっている。またStay[2]、Stay[3]の値は「０」となっている。また、「Rove」(きょろきょろしている)は、画像解析により解析されたその人物がきょろきょろしているかどうかの値を示す。ここでは、この人物はきょろきょろしていないと解析されたため、この値は「０」となっている。
【００４１】
なお、特徴データは、各フレーム単位（撮像画像単位）で画像解析されて生成される。そして同一人物毎に人物ＩＤを発行のうえ、蓄積可能なフレーム数を超えるまで特徴ＤＢに保存、管理される。なお同一人物かどうかの判定は、従来の顔認証処理技術等を使って行えばよい。また入力された１画像において複数の人物が写っていた場合、１画像中の人物毎にその特徴、行動を画像解析し、人数分の特徴データを生成する。
【００４２】
（判定ファイル）
図５は、判定ファイル３２の一例（その１）である。判定ファイル３２は、上述の如く、人物の特徴データに基づき不審人物として検知すべき特徴が判定条件として定義されたファイルであり、ユーザにより予め作成され記憶部３０に保持される。具体的には図に示されるように、判定ファイルは「制御するＩＯ（Input/Output）」、「制御内容」、「判定条件文」の各要素からなる。
【００４３】
「制御するＩＯ」は、「判定条件文」による条件を満たした場合、制御の対象となる出力対象先（例えば監視センタ３及び警報器４等）のＩＤ（１、２・・）を示す。「制御内容」は、「判定条件文」による条件を満たした場合、制御の対象となる出力対象に対する制御の内容を示す。「開」はＯＮ、「閉」はＯＦＦと意味し、出力対象が監視センタ３であれば通報のＯＮ／ＯＦＦとなり、警報器４であればランプ点灯／消灯、またもしくはアラームＯＮ／ＯＦＦといった制御を行う。なお出力対象に対する制御内容は、通常、「開」（ＯＮ）と「閉」（ＯＦＦ）があるため、「開」制御する場合と「閉」制御する場合の判定条件はセットで定義するようにする。「判定条件文」は、人物の特徴データに基づき不審人物として検知すべき特徴が定義された判定条件構文である。この点以下説明する。
【００４４】
図６は、判定条件文の一文例を示す。図に示されるように、「判定条件文」の構成は、大きく分けてア〜ウの３つの部分からなる。まずアの「特徴キーワード」は、例えば「Sunglasses」の場合、画像から画像解析された特徴データの特徴データ項目において、サングラスがありと検知されているときに、「真」を出力し、サングラスがありと検知されていないときに「偽」を出力する。また例えば「Mask」の場合、特徴データの特徴項目において、マスクがありと検知されているときに、「真」を出力し、マスクがありと検知されていないときに「偽」を出力する。よってこのことからも、この「特徴キーワード」と、特徴データの特徴項目（図４）とは対応関係にあることが分かる。
【００４５】
図７は、特徴キーワードの仕様表を示す。特徴キーワードは「Sunglasses」や「Mask」のみならず、図に示されるような複数の特徴キーワードが存在する。よってユーザはこの仕様表の中から使用したい特徴キーワードを使って、つまり不審人物として検知すべき特徴キーワードを使って判定条件を定義するようにする。
【００４６】
再び図６を参照し、次いでイの「個別条件」は、関数FrameCountを用いて定義された個別条件、例えば「FrameCount(x,y,z)」である場合、直近の規定フレーム数zのうち、その直近の規定フレームの画像から画像解析された特徴データの特徴データ項目（特徴データ値）と対応する特徴キーワードxが「真」である回数が、少なくとも指定した数yあるかどうかを判定する条件である。例えば、「FrameCount(Sunglasses,2,10)」である場合、直近の規定１０フレームのうち、その直近の１０フレームの画像から画像解析された特徴データの特徴データ項目（特徴データ値）と対応する特徴キーワード「Sunglasses」が「真」である回数が、少なくとも２回あるかどうかを判定する条件である。
【００４７】
映像がカメラ２ａで撮像されると、カメラ２ａからの画像が連続的に警備装置１へ入力されてくる。人物が移っている場合、特徴データはフレーム単位（撮像画像単位）で生成されるので、カメラ２ａからの人物画像が連続的に警備装置１へ入力されるたびに次々と特徴データが生成されることになる。しかしながら画像解析においては、人物検知自体の解析は高精度で検知できるものの、ときに人物の細かな特徴データ値を正確に解析できない場合がある。例えば、人物が後ろを向いている画像からは人物のサングラス着用を解析できない。また、人物を正面や側面から撮像できた画像であっても、解析によって必ずしもサングラス着用を解析できるとは限らない。従って特徴キーワード「Sunglasses」は、特徴データ値（Sunglasses=0or1）に基づきサングラス着用の有無を判定するものであるが、撮像された画像、フレームによってサングラスがありと検知されたりされなかったりと、そのばらつきを吸収する必要があるため、ここでは特徴キーワードに対し特徴検知の精度を向上させるための関数を介在させる。これにより、ある一定程度のフレーム数（例えば１０フレーム）の幅を持たせ、そのうち指定した数（例えば２回）だけ人物のサングラス着用を検知できた場合、イの「個別条件」全体として「真」を出力するようにしたものである。
【００４８】
図８は、関数の仕様表を示す。各関数の出力内容は図に示される通りであるが、関数の種類は大きくFrame系とTime系とを用意している。例えばFrameCountは、直近の対象フレーム数の中で、特徴キーワードに該当する特徴データが検知フレーム数回数以上、「真」を出力した場合に、「真」、それ以外は「偽」を出力する関数である。一方、TimeCountは、直近の対象時間の中で、特徴キーワードに該当する特徴データが、「真」を出力した時間の合計が検知時間以上の場合に、「真」、それ以外は「偽」を出力する関数である。
つまり、フレーム、時間というそれぞれの観点から、上述でいうばらつきを吸収しつつ該当の特徴を有する人物を検知できるようにしたものである。
【００４９】
再び図６を参照し、次いでウの「総合条件」（判定条件文）は、イの「個別条件」をand、or、next等の接続キー（接続語）で接続されることにより、複数の個別条件から構成されるものである。例えば、イの「個別条件」である「FrameCount(Sunglasses,2,10)」は、１０フレーム中２回、サングラス着用者を検知したときには「真」を出力し、「FrameCount(Mask,1,10)」は、１０フレーム中１回、マスク着用者を検知したときには「真」を出力する。そして、この２つの個別条件を「and」で接続した「総合条件」においては、サングラス着用且つマスク着用を検知したとき、つまり両個別条件が両方とも「真」である場合に、「真」を出力する。
【００５０】
図９は、接続キーの仕様表を示す。各接続キー数の出力内容は図に示される通りであるので詳述は割愛する。以上のように、ユーザはア〜ウを自由に組み合わせて判定条件文を作成することで、警備装置１の設置先、使用目的に合った不審人物の検知判定を行うことができる。
【００５１】
[判定例]
図１０、１１を元に、人物（例えば人物ＩＤ：0001）が判定ファイル３２の判定条件において、不審人物であるかどうかを判定する例をここに示す。
【００５２】
図１０は、判定ファイル３２の一例（その２）である。図に示されるように、判定ファイル３２には、「制御するＩＯ」ＩＤ１及び２に対する「判定条件文」が少なくとも２セット定義されている。
【００５３】
図１１は、複数の特徴データから抽出した特徴項目及び特徴データ値の一例である。即ち、同一人物（例えば人物ＩＤ：0001）が撮像されている直近１０フレーム分の特徴データの中から、特徴項目「サングラスの有無」（Sunglasses）、「エリア１にいる」（Stay[1]）、「エリア２にいる」（Stay[2]）を抽出し、その値（０又は１）をグラフに示した。また同一人物が撮像されている直近１００００ｍｓｅｃ以内のフレームの特徴データの中から、特徴項目「きょろきょろしている」（Rove）を抽出し、その値（０又は１）をグラフに示した。
【００５４】
まず、「制御するＩＯ」がＩＤ１、「制御内容」が開であるところの「個別条件」である「FrameCount(Sunglasses,2,5)」に関し判定する。この個別条件が意味するところは、直近の５フレーム数のうち、特徴キーワード「Sunglasses」が「真」（特徴データにおいてSunglasses＝１）である回数が、２回以上あるかどうかを判定する条件である。図１１より、直近の５フレーム中、１、２、３、５フレームにおいて、サングラスがありとなっている。従って判定部４０は、「FrameCount(Sunglasses,2,5)」に対し、「真」を出力する。
【００５５】
次に「制御するＩＯ」がＩＤ１、「制御内容」が開であるところの「個別条件」である「FrameCount(Stay[1],3,5)」に関し判定する。この個別条件が意味するところは、直近の５フレーム数のうち、特徴キーワード「Stay[1]」が「真」（Stay[1]＝１）である回数が、３回以上あるかどうかを判定する条件である。図１１より、直近の５フレーム中、１、２、３、５フレームにおいて、エリア１にいるとなっている。従って判定部４０は、「FrameCount(Stay[1],3,5)」に対し、「真」を出力する。
【００５６】
最後に、ここでの「総合条件」（判定条件文）は、「個別条件」である「FrameCount(Sunglasses,2,5)」と、「FrameCount(Stay[1],3,5)」とが、andの接続キーで接続されている。上述のようにそれぞれの「個別条件」の判定結果からすると、「真」and「真」となっているので、判定部４０は、最終的に「総合条件」である「FrameCount(Sunglasses,2,5) and FrameCount(Stay[1],3,5)」に対し、「真」を出力する。またその結果、「制御するＩＯ」がＩＤ１の出力対象先に対し、「制御内容」である開（ＯＮ）を出力する。
【００５７】
一方、「制御するＩＯ」がＩＤ１、「制御内容」が閉であるところの「個別条件」である「Not(FrameCount(Stay[1],3,5))」に関し判定する。この個別条件が意味するところは、直近の５フレーム数のうち、特徴キーワード「Stay[1]」が「真」（Stay[1]＝１）である回数が、３回ないかどうかを判定する条件である。図１１より、直近の５フレーム中、１、２、３、５フレームにおいて、エリア１にいるとなっている。従って判定部４０は、「Not(FrameCount(Stay[1],3,5))」に対し、「偽」を出力する。ここでは「個別条件」１つのみであるため、これが「総合条件」に相当する。判定部４０は、最終的に「総合条件」である「Not(FrameCount(Stay[1],3,5))」に対し、「偽」を出力する。またその結果、「制御するＩＯ」がＩＤ１の出力対象先に対し、「制御内容」である閉（ＯＦＦ）を出力しない。
【００５８】
以上に基づき、「制御するＩＯ」がＩＤ１の判定条件文と、「制御するＩＯ」がＩＤ１の出力対象先に対する判定結果とを考察する。つまり、ユーザはこの判定条件文によって、サングラスを着用している人物がエリア１（例えば立ち入り禁止区域）にいる場合、ＩＤ１の出力対象先（例えば警報器４）を鳴らすという使用目的をもって判定ファイル３２を定義、作成しているものである。そして実際の特徴データにおいて、この判定条件を満たす特徴、行動の人物が検知されたことにより、警備装置１は警報器４に対し開（ＯＮ）を出力し、また警報器４はアラートを鳴らすものである。
【００５９】
その後、この人物がエリア１外に移動するなどして、「FrameCount(Stay[1],3,5)」を満たさなくなった場合、逆に「FrameCount(Sunglasses,2,5) and FrameCount(Stay[1],3,5)」に対しては「偽」が出力され、「Not(FrameCount(Stay[1],3,5))」に対し「真」が出力されることになるため、警備装置１は警報器４に対し閉（ＯＦＦ）を出力し、また警報器４はアラートを停止する。
【００６０】
さて今度は、「制御するＩＯ」がＩＤ２、「制御内容」が開であるところの「個別条件」である「FrameCount(Sunglasses,2,5)」に関し判定する。ここは上述と同様の要領にて、判定部４０は、「FrameCount(Sunglasses,2,5)」に対し、「真」を出力する。
【００６１】
次に「制御するＩＯ」がＩＤ２、「制御内容」が開であるところの「個別条件」である「FrameCount(Stay[1],3,5)」に関し判定する。ここも上述と同様の要領にて、判定部４０は、「FrameCount(Stay[1],3,5)」に対し、「真」を出力する。
【００６２】
次に「制御するＩＯ」がＩＤ２、「制御内容」が開であるところの「個別条件」である「TimeCount(Rove,5000,10000)」に関し判定する。この個別条件が意味するところは、
直近の対象時間１００００ｍｓｅｃの中で、特徴キーワード「Rove」が「真」を出力した時間の合計が検知時間５０００ｍｓｅｃ以上であるかどうかを判定する条件である。図１１より、直近の１００００ｍｓｅｃ中、１０００〜３０００、４０００〜９０００ｍｓｅｃにおいて、エリア１にいるとなっている。従って判定部４０は、「TimeCount(Rove,5000,10000)」に対し、「真」を出力する。
【００６３】
最後に、ここでの「総合条件」（判定条件文）は、「個別条件」である「FrameCount(Sunglasses,2,5)」と、「FrameCount(Stay[1],3,5)」と、「TimeCount(Rove,5000,10000)」が、andの接続キーで接続されている。それぞれの「個別条件」の判定結果からすると、「真」and「真」and「真」であるので、判定部４０は、最終的に「総合条件」である「FrameCount(Sunglasses,2,5) and FrameCount(Stay[1],3,5) and TimeCount(Rove,5000,10000)」に対し、「真」を出力する。またその結果、「制御するＩＯ」がＩＤ2の出力対象先に対し、「制御内容」である開（ＯＮ）を出力する。
【００６４】
一方、「制御するＩＯ」がＩＤ２、「制御内容」が閉であるところの「個別条件」である「FrameCount(Stay[2],3,5)」に関し判定する。この個別条件が意味するところは、直近の５フレーム数のうち、特徴キーワード「Stay[2]」が「真」（Stay[２]＝１）である回数が、３回以上あるかどうかを判定する条件である。図１１より、直近の５フレーム中、エリア２にいないとなっている。従って判定部４０は、「FrameCount(Stay[2],3,5)」に対し、「偽」を出力する。ここでは「個別条件」１つのみであるため、これが「総合条件」に相当する。判定部４０は、最終的に「総合条件」である「FrameCount(Stay[2],3,5)」に対し、「偽」を出力する。またその結果、「制御するＩＯ」がＩＤ２の出力対象先に対し、「制御内容」である閉（ＯＦＦ）を出力しない。
【００６５】
以上に基づき、「制御するＩＯ」がＩＤ２の判定条件文と、「制御するＩＯ」がＩＤ２の出力対象先に対する判定結果とを考察する。つまり、ユーザはこの判定条件文によって、サングラスを着用している人物がエリア１に位置しているうえ、さらにきょろきょろしている場合、ＩＤ２の出力対象先（例えば監視センタ３）へ通報するという使用目的をもって判定ファイル３２を定義、作成しているものである。そして実際の特徴データにおいて、この判定条件を満たす特徴、行動の人物が検知されたことにより、警備装置１は監視センタ３に対し開（ＯＮ）を出力し、また監視センタ３は通報を受信するものである。
【００６６】
その後、この人物がエリア１外に移動し、エリア２（例えば建物玄関等）へ移動するなどして、「FrameCount(Stay[1],3,5)」を満たさなくなり、また「FrameCount(Stay[2],3,5)」を満たした場合、逆に「FrameCount(Sunglasses,2,5) and FrameCount(Stay[1],3,5) and TimeCount(Rove,5000,10000)」に対しては「偽」が出力され、「FrameCount(Stay[1],3,5)」に対し「真」が出力されることになるため、警備装置１は監視センタ３に対し閉（ＯＦＦ）を出力する。監視センタ３はこの人物がエリア２（例えば建物玄関等）、つまり建物外へ出たことを把握できる。
【００６７】
以上纏めると、ユーザはこの判定条件文によって、サングラスを着用している人物がエリア１にいる場合、警報器４を鳴らすようにした。またさらにその人物がきょろきょろと不審な行動をしている場合には、警報器４に加えて監視センタ３へ通報するようにしたことになる。そしてまた、サングラスを着用している人物がエリア１から移動した場合には、警報器４を解除し、さらにエリア２へ移動した場合、つまり建物外へ出た場合には、監視センタ３への通報を解除するようにしたことになる。
【００６８】
なお、本判定ファイル３２による判定においては、説明の便宜上、例えば「FrameCount(Sunglasses,2,10)」、「FrameCount(Stay[1],3,5)」などの直近の規定フレーム数は、１０などの比較的小さな数値を使用して説明している。しかしながら実際の場合、上述の如くカメラ２ａは、静止画像を１秒間に約２０〜３０画像（フレーム）を撮像し、警備装置１に対し入力する。よって、現実的な直近の規定フレーム数としてはもう少し大きな値を用いることができる。より具体的には例えば「FrameCount(Sunglasses,20,100)」、「FrameCount(Stay[1],30,50)」などとすることができる。
【００６９】
[システム動作]
本実施形態に係る警備システム１００におけるシステム動作（情報処理）を説明する。上述にて既に説明済みの点と重複する点もあるが、全体的な動作を示すため、あらためて以下、（１）特徴データ生成ステップ、（２）不審人物の判定ステップ、（３）判定結果の出力ステップの大きく３つに分け説明を行う。
【００７０】
（１）特徴データ生成ステップ
警備装置１は警備を開始すると、カメラ２ａ及びセンサ２ｂから画像及び検知信号が入力されてくる。警備装置１は、画像や検知信号が入力されるたびに画像解析処理を行い、画像解析処理の結果から、人物ＩＤ（顔認証結果等を使って人物毎に付与）毎に特徴データを生成し、随時、特徴ＤＢ３１に蓄積、更新する。この動作は、警備装置１が警備をし続ける限り繰り返し行われる。
【００７１】
図１２は、特徴データ生成処理を説明するフローチャートである。以下図面に沿って説明する。
【００７２】
Ｓ１：警備装置１の入力部１０は、画像（及び検知信号）が入力されたか否かを判定する。警備を開始すると通常の場合、カメラ２ａやセンサ２ｂから画像及び検知信号が次々と入力されてくることになる。
【００７３】
Ｓ２：画像解析処理部２０は、入力された画像（及び検知信号）に対し画像解析処理を行う。ここではまず画像の画像解析及び検知信号により、人物が写っているかどうかを検出する。
【００７４】
Ｓ３：画像解析処理部２０は、人物が検出されたか否かを判定する。人物が検出されない場合には、特徴データは生成しなくてよいからである（只の風景画像）。
【００７５】
Ｓ４：画像解析処理部２０は、人物が検出された場合、その人物の特徴や行動を各特徴項目（図３）に従い、入力された画像（検知信号）に対し画像解析によって解析し、特徴データ項目毎の特徴データ値を検出する。そして１画像（１フレーム）、１人物に対し、１の特徴データを生成する。
【００７６】
Ｓ５：最後に画像解析処理部２０は、人物ＩＤ毎に特徴データを時系列に並べるなどして集計し、特徴ＤＢ３１に蓄積する。具体的には、検出された人物に対し顔認証結果等を使って人物を特定し、過去に検出されている人物である場合は、その人物に対し発行済みの人物ＩＤを特徴データ（図３[ID=xxxx]）に付せばよい。また過去に検出されていない初めての人物である場合は、その人物に対し新たに人物ＩＤを発行し、その人物ＩＤを特徴データ（図３[ID=xxxx]）に付せばよい。
【００７７】
以上により、人物を含む画像が入力されるたびに、人物ＩＤ毎に特徴データ（例えば図３参照）が生成され、特徴ＤＢ３１に蓄積される（例えば図２参照）。
（２）不審人物の判定ステップ
警備装置１が警備を開始すると、その判定部４０は、判定ファイル３２と、人物毎の特徴データを比較、照合し、その人物が不審人物として検知すべき人物であるか否かの判定を行う。判定処理のタイミングとしては、例えば入力された画像（及び検知信号）に基づき何らかの人物が検出されたタイミングにおいて判定を行うこともできるし、一定の所定間隔で定期的に判定を行うこともできる。
【００７８】
図１３は、不審人物の判定処理を説明するフローチャートである。以下図面に沿って説明する。
【００７９】
Ｓ１１：警備装置１の判定部４０は、判定処理を行うべきタイミングあるか否かを判定する。ここでは画像解析処理部２０により入力された画像（及び検知信号）に基づき人物が検出されたタイミングにおいて判定処理を開始するようにする。
【００８０】
Ｓ１２：判定部４０は、記憶部３０から判定ファイル３２を取得し、この内容の読み込みを行う。上述の如く、判定ファイル３２は、人物の特徴データに基づき不審人物として検知すべき特徴が判定条件として定義されたファイルであり、判定処理に先立ってユーザにより予め作成され記憶部３０に保持されている。
【００８１】
Ｓ１３：判定部４０は、特徴データＤＢから人物毎に集計されたと特徴データを参照する。対象の人物としては、特徴データＤＢ内の全人物ではなく、上述の画像解析処理部２０がそのときに入力された画像（及び検知信号）に基づき検出した人物を対象とする。そしてその同人物が検出され続ける限り（例えば同人物が建物内に居続ける限り）、判定処理を継続する。
【００８２】
Ｓ１４：判定部４０は、判定ファイル３２に基づいて、検出された人物の特徴データを比較、照合し、その人物が不審人物として検知すべき人物であるか否かの判定を行う。具体的な判定方法は上述した通りである。
【００８３】
Ｓ１５：判定部４０は、不審人物として検知すべき人物であると判定したときには、出力部５０に対し監視センタ３や警報器４へ警報の出力を指示する。つまり「制御するＩＯ」に対応する出力対象先に対し、「制御内容」である開（ＯＮ）又は閉（ＯＦＦ）の出力を行う。
【００８４】
なお、判定部４０は画像解析処理部２０により入力された画像（及び検知信号）に基づき人物が検出されたタイミングにおいて判定処理を開始するものの、開始直後においては、その瞬間時点では１画像（フレーム）のみしかまだ撮像されておらず、上述の関数（例えばFrameCount(x,y,z)）との関係から、所定フレーム数の撮像がなされ十分な特徴データが蓄積されるまでは、判定ファイル３２に基づく判定処理を実施できない。よってカメラ２ａの撮像能力として１秒間に２０〜３０画像（フレーム）を撮像できる場合、判定部４０は、人物検知直後から１秒なり２秒なり、判定処理が実施可能な特徴データが蓄積されるのを待ってから、判定処理を開始するようにすればよい。
【００８５】
（３）判定結果の出力ステップ
警備装置１は、判定ファイル３２に基づく不審人物を検知すると、不審人物検知時に対する対応を行う。つまり不審人物を検知した場合、監視センタ３への通報や警報器４への出力を行う。
【００８６】
図１４は、判定結果の出力処理を説明するフローチャートである。
【００８７】
Ｓ２１：警備装置１の出力部５０は、判定部４０より出力指示の入力があったか否かを判定する。ここでいう出力指示は、「制御するＩＯ」に対応する出力対象先に対し、「制御内容」である開（ＯＮ）又は閉（ＯＦＦ）の出力を行う旨の指示である（Ｓ１５）。
【００８８】
Ｓ２２：出力部５０は、出力指示に応じた制御を実施する。例えば監視センタ３に対し通報を出力したりまたこれを解除する。また例えば警報器４に対しアラートを鳴らせたり停止させる。
【００８９】
[具体的な設定方法]
以上、本実施形態に係る警備装置１について説明してきた。ここでは、同警備装置１をある設置先にて設置する場合の設定方法について言及する。具体的には、警備装置１に対しては保守・管理用アプリケーション（保守アプリという）が提供されており、現場技術員は、警備装置１を直接操作又は現場技術員の端末ＰＣを介し、保守アプリを使用して簡便に設定作業を行い、警備装置１の運用を開始することができる。以下説明する。
【００９０】
図１５は、保守アプリの設定画面例（その１）を示す。例えば病院の待合室にて、警備装置１を設置するにあたり、現場技術員は、保守アプリの設定画面を使用して基本設定を行うことができる。
【００９１】
画面右のマップ部１４０１においては、設置先の基本図面、椅子や棚等のオブジェクトの設置位置、カメラ位置及びカメラの撮像エリア（検知エリア）を設定する。画面左下の基本情報部１４０２には、カメラの諸設定情報、例えばカメラの名称、位置、向き、俯角、回転角度、エリア等のパラメータを入力する。また画面左上の映像表示部１４０３には、カメラで撮像されている映像が表示される。基本情報部１４０２のパラメータに合わせてカメラが動くと、マップ部１４０１のカメラも合わせて移動する。
【００９２】
ここでは例えば、２台のカメラのうち、１つ目のカメラを受付カウンター付近に設置する。また２つ目のカメラを入り口玄関付近に設置する。現場技術員は、保守アプリの設定画面において、カメラの位置等を調整のうえ、位置が決まると、その撮像範囲の名称設定を行うとともに、マップ部１４０１上から、対応するエリアの範囲を指定する。具体的に例えば、「エリア名」をそれぞれ「エリア１（受付）」と入力するとともに、マップ部１４０１上において、ドラッグ操作するなどして、入力した「エリア名」と対応するエリア１の範囲を指定する（図中、エリア１の楕円形状範囲）。エリア範囲が決まると、「範囲決定」ボタンを押下すればその範囲で決定される。
【００９３】
図１６は、保守アプリの設定画面例（その２）を示す。使用目的に応じて現場技術員や、病院のシステム管理者又は警備担当者は、保守アプリの設定画面を使用して判定条件の設定（判定ファイル３２の作成）を行うことができる。ここでは本設定画面を使用し、図１０の判定ファイル３２相当の判定条件を設定（作成）した。
【００９４】
具体的には、サングラスを着用している人物がエリア１（受付）にいる場合、警報器４を鳴らす。その後、この人物がエリア１外に移動した場合、警報器４を解除する。また、サングラスを着用している人物がエリア１に位置しているうえ、さらにきょろきょろしている場合、監視センタ３へ通報する。その後、エリア２（玄関）へ移動するなどして病院外へ立ち去った場合、監視センタ３への通報を停止する。
【００９５】
図中、「出力先」１５０１は、判定条件を満たした場合、制御の対象となる出力対象先を設定する項目である。ここでは、例えば１：警報（警報器）、２：通報（監視センタ）の中から選択できる。
【００９６】
「検知時の状態」１５０２は、判定条件を満たした場合、制御の対象となる出力対象に対する制御の内容を示す。「開」はＯＮ、「閉」はＯＦＦと意味する。通常の場合は、「開」に設定しておく。例えば不審者を検知した場合には、警報を鳴らす（即ち「開」）ためである。
【００９７】
「検知対象項目」１５０３は、検知したい人物の特徴（又は行動）を設定する項目である。選択枝には、例えば「サングラス着用」、「場所から立ち去った」、「行動不審」等といったように、予めユーザにとって分かりやすい特徴表現を用意しておく。勿論、実際の判定ファイル３２では、各特長表現に対応した特徴キーワード及びその組み合わせ等でもって、判定条件文が生成される。以下、不審人物検知関連の特徴表現とその特徴表現に対応する判定条件を、関数FrameCountの場合を用いて例示する。なお、ユーザに分かりやすいこれら特徴表現は、１つの特徴表現に対して、開と閉のセットが割り当てられるようになっている。従って、「検知対象項目」１５０３の選択肢の中から１の特徴表現を選択すれば、「判定条件文」が１セット自動的に生成されることになる。
【００９８】
「サングラス着用」
開 FrameCount(Sunglasses,y,z) and FrameCount(Stay[x],y,z) 
閉 Not(FrameCount(Stay[x],y,z))
「不審者」：
開 FrameCount(Sunglasses,y,z) and FrameCount(Stay[x],y,z) and FramCount(Rove,y,z)
閉 FrameCount(Stay[x],y,z)
「場所」１５０４は、検知したい人物の所在・位置を設定する項目である。ここでは、２台のカメラの撮像範囲のうち、例えばエリア１（受付）、エリア２（玄関）の中から選択できる。
【００９９】
「感度」１５０５は、検知の感度（精度）を設定する項目である。ここでは、例えば１（高）〜５（低）の中から選択できる。実際の判定ファイル３２では、この感度は、関数FrameCountの場合、直近の規定フレーム数、特徴キーワードが「真」である指定回数に反映される。例えば感度「２」の場合、感度が上がると検知回数が緩くなるので、「FrameCount(Sunglasses,2,5)」などといったように反映できる。また例えば感度「１」の場合、「FrameCount(Sunglasses,1,5)」などといったように反映できる。
【０１００】
「ポップアップ」１５０６は、例えば警備装置１のモニタ画面において、判定条件を満たした場合、その旨をポップアップでユーザに知らせる機能のＯＮ／ＯＦＦを設定する項目である。
【０１０１】
「無効」１５０７は、その設定行の有効／無効を設定する項目である。チェックボックスにチェックがされている行（判定条件）については、ないものとして取り扱われる。
【０１０２】
以上のように、本実施形態に係る警備装置１の判定ファイル作成部６０は、保守アプリの設定画面を介し、簡便に判定ファイル３２の作成を行うことができる。特に、専門知識を有しない病院のシステム管理者又は警備担当者が、判定条件を設定・変更するのは困難であるが、このような保守アプリの設定画面を使用することにより、容易に判定条件の設定（判定ファイル３２の作成）を行うことができる。
【０１０３】
なおいうまでもなく、実施形態に係る保守アプリの設定画面を使用せずとも、判定ファイル３２の作成を行うことができることは明らかである。例えば、保守アプリの設定画面の「検知対象項目」１５０３の特徴表現だけでは設定しきれない人物及びその特徴を設定したい場合、現場技術員は、警備装置１の記憶部３０に保存される判定ファイル３２を直接、作成又は編集することにより、いかようにもより柔軟で高度な判定条件を作成することが可能である。
【０１０４】
[総括]
以上、本実施形態に係る警備装置１は、判定ファイルと個々の特徴項目毎に集計された特徴データとに基づき、判定ファイルにおいて定義されている特徴を有する人物を検知する。この判定ファイルでは、特徴データの個々の特徴項目に対応した特徴キーワードを組合せて使用できるため、ユーザの意図に適った検知用の判定条件の定義、作成を柔軟に行うことができる。また併せて設定画面からは、知識のないものであっても選択枝の中から、抽象的な特徴表現を選択するだけで、検知用の判定条件の定義、作成を容易に行うことができる。即ち、不審人物を検知するに際し、設置先や使用目的に応じて柔軟性のある検知用の判定条件の定義、作成を行うことにより、設置先や使用目的を問わず汎用的な使用が可能な警備装置を提供することが可能となる。
【０１０５】
なお、本発明は係る特定の実施形態に限定されるものではなく、特許請求の範囲に記載された本発明の要旨の範囲内において、種々の変形・変更が可能である。上述の実施形態においては、本発明をビル建物に適用した一例を示したが、家庭用の住居やマンション等にも同様に本発明を適用することができることはいうまでもない。
【符号の説明】
【０１０６】
１        警備装置
２        データ入力装置
２ａ        カメラ
２ｂ        センサ
３        監視センタ
４        警報器
１０        入力部
２０        画像解析処理部
３０        記憶部
４０        判定部
５０        出力部
６０        判定ファイル作成部
１００    警備システム
【図１】
2012208793.tif 000003
【図２】
2012208793.tif 000004
【図３】
2012208793.tif 000005
【図４】
2012208793.tif 000006
【図５】
2012208793.tif 000007
【図６】
2012208793.tif 000008
【図７】
2012208793.tif 000009
【図８】
2012208793.tif 000010
【図９】
2012208793.tif 000011
【図１０】
2012208793.tif 000012
【図１１】
2012208793.tif 000013
【図１２】
2012208793.tif 000014
【図１３】
2012208793.tif 000015
【図１４】
2012208793.tif 000016
【図１５】
2012208793.tif 000017
【図１６】
2012208793.tif 000018